(57)【特許請求の範囲】
【請求項１】
複数色のインクを染みこませた生地が移動方向に対し平行に複数の層を形成してなる帯状のインクリボンを用いて印字媒体に前記複数色のインクを印字するプリンタであって、
前記プリンタは、
移動された前記インクリボンを前記印字媒体に圧着する印字ヘッドと、
前記インクリボンを所定の速度で移動方向に駆動する駆動手段と、
前記印字媒体に印字する色に応じて前記移動方向に対して左右方向に前記インクリボンを切り替える色切替手段と、
前記色切替手段により左右方向に切り替えられるインクリボンが前記印字ヘッドの縁に引っかかるのを阻止するリボンガイドと、
を有し、
前記リボンガイドは、
前記印字ヘッドの片側又は両脇にバネにより固着された構造であることを特徴とするプリンタ。
【請求項２】
前記リボンガイドは、
前記インクリボンを受ける前記印字ヘッドの面積を前記リボンガイドがない状態よりも大きくするように構成される形状であることを特徴とする請求項１に記載のプリンタ。
【請求項３】
前記リボンガイドは、
前記印字ヘッドの縁を覆うように構成される形状であることを特徴とする請求項１に記載のプリンタ。
【請求項４】
前記色切替手段は、
外部から与えられる情報に従って前記移動方向に対して左右方向に前記インクリボンを切り替えることを特徴とする請求項１に記載のプリンタ。
【請求項５】
複数色のインクを染みこませた生地が移動方向に対し平行に複数の層を形成してなる帯状のインクリボンを用いて印字媒体に前記複数色のインクを印字するプリンタにおける前記インクリボンのガイド機構であって、
前記印字媒体に印字する色に応じて前記移動方向に対して左右方向に切り替えられるインクリボンが前記プリンタが有する印字ヘッドの縁に引っかかるのを阻止するように、前記印字ヘッドの片側又は両脇に前記印字ヘッドの縁を保護するリボンガイドを固着し、前記リボンガイドは、バネにより固着された構造であることを特徴とするプリンタ用インクリボンのガイド機構。
【発明の詳細な説明】
【技術分野】
【０００１】
本発明は、複数色の色層を形成するインクリボンにより印字を行うプリンタ、及びプリンタ用インクリボンのガイド機構に関する。
【背景技術】
【０００２】
インクリボンを用いたプリンタに関する特許文献として、下記特許文献１〜３のようなものがある。特許文献１には、リボン切替式プリンタに関して、リボンカセット本体の印字色切替えをキャリッジの非印字領域への移動を利用し、不用意な力が加わっても位置が変わらないストッパ機構が提案されている。又、特許文献２には、印字ヘッドの移動方向を利用したスライド部材と、リボン幅方向に移動させるリボンガイドと、スライド部材の移動をリボンガイドの移動に変換するリンク部材を印字ヘッド部に備え、印字ヘッドの移動で印字色の切替えを可能とする媒体印字装置が提案されている。更に、特許文献３には、インクリボンをリボンガイドでガイドし、リボンガイドを移動し色の切替えを行うプリンタについて、リボンガイドにフィルム部材を設け、リボンシフト機構によりヘッドピンに対向する孔を塞ぐことを特徴とするプリンタが提案されている。
【先行技術文献】
【特許文献】
【０００３】
【特許文献１】特開２００７−２２９９７９号公報
【特許文献２】特開２０００−２８０５８８号公報
【特許文献３】特開平０６−２７８３４８号公報
【発明の概要】
【発明が解決しようとする課題】
【０００４】
例えば、ＡＴＭ(AutomatedTeller Machine)等の自動預払機に搭載されている通帳プリンタのインクリボンには黒仕様（一色仕様）と赤黒仕様（二色仕様）等の複数色仕様とがある。赤黒仕様の場合、赤から黒又は黒から赤への切り替え時はプランジャーマグネットにてリンク機構を介在し切替を行っている。リボン生地自体の劣化、紙粉等により偶発的に切替が正常でないときに印字動作が行われ、黒印字に赤印字が混ざることがあった。
【０００５】
そこで、本発明は、黒印字に赤印字が混ざることを防ぐことを可能とするプリンタ及びプリンタ用インクリボンのガイド機構を提供することを目的とする。
【課題を解決するための手段】
【０００６】
本発明の第１側面のプリンタは、複数色のインクを染みこませた生地が移動方向に対し平行に複数の層を形成してなる帯状のインクリボンを用いて印字媒体に前記複数色のインクを印字するプリンタであって、移動された前記インクリボンを前記印字媒体に圧着する印字ヘッドと、前記インクリボンを所定の速度で移動方向に駆動する駆動手段と、前記印字媒体に印字する色に応じて前記移動方向に対して左右方向に前記インクリボンを切り替える色切替手段と、前記色切替手段により左右方向に切り替えられるインクリボンが前記印字ヘッドの縁に引っかかるのを阻止するリボンガイドと、を有することを特徴とする。
【０００７】
第２側面のプリンタ用インクリボンのガイド機構は、複数色のインクを染みこませた生地が移動方向に対し平行に複数の層を形成してなる帯状のインクリボンを用いて印字媒体に前記複数色のインクを印字するプリンタにおける前記インクリボンのガイド機構であって、前記印字媒体に印字する色に応じて前記移動方向に対して左右方向に切り替えられるインクリボンが前記プリンタが有する印字ヘッドの縁に引っかかるのを阻止するように、前記印字ヘッドの片側又は両脇に前記印字ヘッドの縁を保護するリボンガイドを固着したことを特徴とする。
【発明の効果】
【０００８】
本発明のプリンタ及びプリンタ用インクリボンのガイド機構によれば、色切替手段により左右方向に切り替えられるインクリボンが印字ヘッドの縁に引っかかるのを阻止するリボンガイドと、を有している。これにより、黒印字に赤印字が混ざる等を防ぐことが可能になる。
【図面の簡単な説明】
【０００９】
【図１】本発明の実施形態の通帳プリンタの構成例を示す図
【図２】通帳プリンタの印字ヘッドにおける色切替えを説明する図
【図３】従来の通帳プリンタのインクリボンによる黒印字と赤印字を説明する図
【図４】従来の通帳プリンタでの混色印字の発生を説明する図
【図５】本発明の実施形態のインクリボンのガイド機構の一例を示す図
【図６】本発明の実施形態のインクリボンのガイド機構の他の一例を示す図
【発明を実施するための形態】
【００１０】
以下に本発明の実施形態について図面を参照しながら詳細に説明する。
【００１１】
（プリンタの構成）
図１は、本発明の実施形態の通帳プリンタの構成例を示す図である。
【００１２】
通帳プリンタは、印字・めくり機構部１とインサータＦ６と、インサータＲ９と、を有している。印字・めくり機構部１は、取引内容の通帳１００への印字及び通帳１００の頁をめくる機能に加え、挿入された通帳１００の印字済みの行の検知、通帳１００のページを読み取るための頁マーク１０１の検知及び印字後の印字確認等を行う光学的機能を有している。
【００１３】
印字・めくり機構部１は、通帳１００へ取引内容等を印字する印字ヘッド部２と、通帳１００を通帳搬送路３に沿って搬送する搬送ローラ４と、通帳１００を検出するスキャナ５と、を有している。
【００１４】
インサータＦ６は、通帳挿入出口７から挿入される通帳１００に貼付されている磁気ストライプ（ＭＳ）１０２に磁気データとして記憶されているＭＳデータの読み書きを行うＭＳリーダライタ８と、通帳１００を通帳搬送路３に沿って搬送する搬送ローラ４と、を有している。
【００１５】
インサータＲ９は、新規通帳の発行、旧通帳の一時退避、取り込み、２次退避等の機能を有する部位である。インサータＲ９は、通帳１００を通帳搬送路３に沿って搬送する搬送ローラ４を有しており、図示しないカセットに収納されている新規通帳を印字・めくり機構部１へ送り出すとともに、旧通帳を図示しない一時退避部へ一時退避し、旧通帳を図示しない取り込み部へ２次退避させる。インサータＲ９から送り出された新規通帳は、スキャナ５により検出される。
【００１６】
更に、通帳プリンタは、装置全体を制御する制御部１０を有している。制御部１０は、ネットワーク２０を介して、上位ホスト３０と通信可能に接続されている。印字ヘッド部２は、制御部１０からの指示に従って取引内容等を通帳１００へ印字する。
【００１７】
（印字ヘッドの動作）
図２（ａ）〜（ｃ）は、プリンタの印字ヘッドにおける色切替えを説明する図である。
【００１８】
図２（ａ）には、黒赤２色インクリボンの一例が示されており、常に一方向であるインクリボン１４の移動方向に対して、赤の生地（赤生地）と黒の生地（黒生地）とが平行に配置されている。
【００１９】
図２（ｂ）は、正常時の赤から黒へ切替わった図であり、図１中の印字ヘッド部２を通帳１００の搬送方向に対して平行方向に切った断面構造が示されている。
【００２０】
印字ヘッド部２は、通帳１００の印字箇所にインクリボン１４を押し付けて印字を行う印字ヘッド１９と、通帳１００の印字面の裏側に配置され、印字ヘッド１９の押圧を受ける部位であるプラテン１２と、を有している。印字ヘッド部２は、印字ヘッド１９とプラテン１２とでインクリボン１４を通帳１００に押圧することで、通帳１００の印字箇所に印字する。
【００２１】
印字ヘッド１９とプラテン１２との間には、金属板等により形成され、通帳１００の印字箇所のみ打ち抜かれた図示しない窓を有する印字マスク１３が配置されている。印字マスク１３は、通帳１００の印字箇所以外の領域をマスクする部位であり、印字マスク１３があることにより、通帳１００の印字箇所以外の箇所がインクリボン１４の付着により汚れるのを防止している。
【００２２】
印字ヘッド１９と印字マスク１３との間には、黒赤２色のインクリボン１４のリボン生地が配置されている。更に、プラテン１２と印字マスク１３との間には通帳１００が挿入される。通帳１００は、図２（ｂ）における通帳搬送方向に搬送される。インクリボン１４のリボン生地は、例えば、図面の手前方向から奥行方向に移動される。
【００２３】
赤の印字から黒の印字へ切替えるときは、インクリボン１４のリボン生地は図２（ｃ）に示されたリボンシフト機構により左方向へ移動する。一方、黒の印字から赤の印字へ切替えるときは、インクリボン１４のリボン生地は図２（ｃ）に示されたリボンシフト機構により右上方向へ移動する。
【００２４】
図２（ｃ）は、リボンシフト機構の一例を示す図であり、図２（ｃ）における通帳１００及びインクリボン１４の移動方向は、図２（ｂ）と同じである。
【００２５】
印字ヘッド部２は、電磁石のコイルへ供給する電流をオン／オフすることにより、リボンカセット１１の首を振らせる機能のリボンカセットマグネット１５を有している。このリボンカセットマグネット１５の機能により、リボンカセット１１の首を振らせることにより、リボンカセット１１のリボン生地の黒印字部分と赤印字部分とを切替えている。
【００２６】
図３（ａ）〜（ｃ）は、従来の通帳プリンタのインクリボンによる黒印字と赤印字を説明する図である。
【００２７】
図３（ａ）は、印字マスク１３を取り付けた状態で、黒印字時の印字ヘッド１９とインクリボン１４との位置を撮影した写真である。印字ヘッド１９と印字マスク１３に挟まれた位置にインクリボン１４が見える。印字マスク１３は、通帳１００への印字部分に空けられた窓１３ａと、紙面の奥側へ折り曲げられた縁１３ｂとを有している。印字マスク１３の窓１３ａからは、インクリボン１４の黒生地が覗いている。
【００２８】
図３（ｂ）は、印字マスク１３を取り付けた状態で、赤印字時の印字ヘッド１９とインクリボン１４との位置を撮影した写真である。インクリボン１４は、印字マスク１３の後側に隠れて見えないが、印字マスク１３の窓１３ａからは、インクリボン１４の赤生地が覗いている。
【００２９】
図３（ｃ）は、印字マスク１３を外した状態で、赤印字時の印字ヘッド１９とインクリボン１４との位置を撮影した写真である。図３（ｃ）におけるインクリボン１４の黒生地の部分に着目すると、インクリボン１４の黒生地の部分が、印字ヘッド１９と印字ヘッド１９を支える筐体との隙間に入り込んでいるのが観察される。更に、図３（ｂ）を見ると、印字マスク１３は、窓１３ａの下の部分に、紙面の表から裏方向に斜めに折り曲げられた縁１３ｂを有している。図３（ｂ）と図３（ｃ）とから、赤印字されているときには、リボン生地の黒生地部分は、印字ヘッド１９と印字ヘッド１９を支える筐体との隙間に入り込んでいることが分かる。
【００３０】
図４（ａ），（ｂ）は、従来のプリンタでの混色印字の発生を説明する図である。
図４（ａ）は、混色発生を説明する図であり、印字ヘッド１９と印字マスク１３の縁１３ｂの間隔が狭くなっており、インクリボン１４の黒生地部分が印字ヘッド１９の右下の角に引っ掛かっている様子が描かれている。印字ヘッド１９と印字マスク１３の縁１３ｂの間隔は、インクリボン１４の厚さに対してマージンを見込んだ間隔に設計されている。
【００３１】
しかし、インクリボン１４が推奨仕様頻度を超えて使用された場合、状態が悪いためインクリボン１４が極端に湿気を吸った場合等には、インクリボン１４の厚さが厚くなることが考えられる。又、インクリボン１４が推奨仕様頻度を超えて使用された場合、印字ヘッド１９とインクリボン１４との摩擦係数が大きくなることが考えられる。このような場合、従来のプリンタでは、インクリボン１４の印字位置を赤生地から黒生地に切替える際に、インクリボン１４が印字ヘッド１９の右下の角に引っ掛かることがあった。
【００３２】
また、非純正品のインクリボンが使用された場合にも同様な現象が発生する。
通帳１００への印字は、通常は黒字により印字されるが、残高がマイナスになる取引がされた場合の印字や、旧通帳から新通帳への切り替え等のときに、赤文字の印字が行われる。上位ホスト３０から赤印字の指示を受けると、通帳プリンタ内の制御部１０が印字ヘッド部２へ命令して、インクリボン１４の黒生地から赤生地へ切替える。
【００３３】
図４（ｂ）は、赤黒混色の印字例であり、ある銀行の行員が定期的に印字し確認している４行からなるパターンを印字した例が示されている。この例では、もともとのパターンでは、１行目と３行目を赤印字、２行目と４行目を黒印字とするパターンにより印字確認をしたところ、４行目の最初の６文字分の“＃＃＃＃号機”の部分に赤黒の混色が認められる。黒生地から赤生地への切替時には混色の印字は生じないが、赤生地から黒生地への切替時に混色の印字が発生している。
【００３４】
従来のプリンタで発生していた赤黒の混色印字を解決するインクリボンのガイド機構を発明したので、このインクリボンのガイド機構について、以下、説明する。
【００３５】
（本発明の実施形態のインクリボンのガイド機構の一例）
図５（ａ）〜（ｃ）は、本発明の実施形態のインクリボンのガイド機構の一例を示す図である。
【００３６】
図５（ａ）は、本発明のインクリボンのガイド機構を横方向から撮影した写真であり、図５（ｂ）は、本発明のインクリボンのガイド機構を下方向から撮影した写真であり、図５（ｃ）は、インクリボンが装着された状態の本発明のインクリボンのガイド機構を下方向から撮影した写真である。
【００３７】
本発明のインクリボンのガイド機構は、印字ヘッド１９の両脇に、印字ヘッドノーズ１７とほぼ同じ高さになるようにリボンガイド１６を固着した構造を有している。このリボンガイド１６を追加したことにより、インクリボン１４を受ける印字ヘッド１９の面積が大きくなる。リボンガイド１６の固着方法は、例えば、板バネ等の弾性体で形成され、印字ヘッド１９と印字ヘッド１９を覆う筐体の隙間に挟み込む等が好適である。
【００３８】
従来のプリンタは、印字ヘッド１９の両脇にリボンガイド１６を有していないので、インクリボン１４が推奨仕様頻度を超えて使用等された状態で、赤印字から黒印字に切替えたときに、インクリボン１４が印字ヘッド１９の角に引っ掛かりインクリボン１４が正常な位置に戻らないことがあった。
【００３９】
本発明のインクリボンのガイド機構は、インクリボン１４を受ける印字ヘッド１９の面積が大きくなるように、印字ヘッド１９の両脇に、印字ヘッドノーズ１７とほぼ同じ高さになるようにリボンガイド１６を固着しているので、インクリボン１４が推奨仕様頻度を超えて使用等された場合にも、インクリボン１４の黒生地部分が印字ヘッド１９に絡みつき難く、従来のプリンタで起きていた赤黒混色の印字を防ぐことができる。
【００４０】
リボンガイド１６の固着方法として、リボンガイド１６を板バネ等の弾性体で形成し、印字ヘッド１９に嵌め込む方法によれば、印字ヘッド１９を取り外すことなく、リボンガイド１６を取り付けることができ、既存のプリンタの印字ヘッド部２に、赤黒混色の印字を防ぐ対策を少ない工数で実施できる。
【００４１】
（本発明の実施形態のインクリボンのガイド機構のその他の一例）
図６（ａ）、（ｂ）は、本発明の実施形態のプリンタ用インクリボンのガイド機構の他の一例を示す図である。
【００４２】
図６（ａ）は、本発明のインクリボンのガイド機構の他の一例を下方向から撮影した写真であり、印字ヘッド１９の両脇に、図５（ａ）〜（ｃ）中のリボンガイド１６とは異なる形状のリボンガイド１６ａが配置されている。図６（ａ）を見ると、印字ヘッドノーズ１７の角の部分を覆うように、リボンガイド１６ａが配置されている。
【００４３】
図６（ｂ）は、本発明のインクリボンのガイド機構について、印字ヘッド１９を外して撮影した写真である。
【００４４】
更に、リボンガイド１６ａは、コの字形状一体構造であり、コの字の縦棒の位置にネジ孔を有しており、このネジ孔を介して印字ヘッド１９を固定する筐体にネジにより固着できる構造になっている。
【００４５】
本発明のインクリボンのガイド機構の他の一例によれば、リボンガイド１６ａは、コの字形状一体構造であるので、赤黒混色の印字を防ぐ対策を印字ヘッド１９に対して１つのリボンガイド１６ａにより実施でき、対策部品のリボンガイドの部品コストを下げることができる。
【００４６】
（変形例）
本発明の変形例として、以下の（ａ）、（ｂ）のようなものが考えられる。
（ａ）  本発明の実施形態の説明では、通帳プリンタを例にして説明したが、赤黒のインクリボンを移動方向に対し左右にシフトして黒印字と赤印字を切り替えるプリンタであれば、通帳プリンタ以外のプリンタにも適用可能である。
（ｂ）  本発明の実施形態の説明では、赤黒２色のインクリボンを例にして説明したが、インクリボンは、赤黒２色のインクリボンに限定されず、複数色のインクリボンを用いるプリンタにも適用可能がある。
【００４７】
以上、本発明の実施形態について説明したが、本発明は、以上に述べた実施形態に限定されるものではなく、本発明の趣旨を逸脱しない範囲内で種々の構成又は実施形態を取ることができる。
【符号の説明】
【００４８】
１                                            印字・めくり機構部
２                                            印字ヘッド部
３                                            通帳搬送路
４                                            搬送ローラ
５                                            スキャナ
６                                            インサータＦ
７                                            通帳挿入出口
８                                            ＭＳリーダライタ
９                                            インサータＲ
１０                                            制御部
１１                                            リボンカセット
１２                                            プラテン
１３                                            印字マスク
１３ａ                                          窓
１３ｂ                                          縁
１４                                            インクリボン
１５                                            リボンカセットマグネット
１６，１６ａ                                    リボンガイド
１７                                            印字ヘッドノーズ
１９                                            印字ヘッド
２０                                            ネットワーク
３０                                            上位ホスト
１００                                          通帳
１０１                                          頁マーク
１０２                                          磁気ストライプ（ＭＳ）
【図１】
0006309904.tif 000002
【図２】
0006309904.tif 000003
【図３】
0006309904.tif 000004
【図４】
0006309904.tif 000005
【図５】
0006309904.tif 000006
【図６】
0006309904.tif 000007